(57)【要約】【課題】  遊技の公正を害することがないようにする。【解決手段】  停止制御手段１２５は、抽選手段１１０の乱数抽選の結果に基づき停止テーブルを用いて各リールの停止制御を行う。左ストップスイッチが最初に操作されたときの左リール用停止テーブル１３１は、乱数抽選の結果ごとに１個だけ備えられており、左ストップスイッチ操作時に、この１個が選択されて左リールの停止制御が行われる。中ストップスイッチが２番目に操作されたときの中リール用停止テーブル１３２は複数個備えられており、左リールの停止位置に対して予め定められた中リール用停止テーブル１３２が選択され、中リールの停止制御が行われる。右ストップスイッチが３番目に操作されたときの右リール用停止テーブル１３３は複数個備えられており、左・中リールの停止位置に対して予め定められた右リール用停止テーブル１３３が選択され、右リールの停止制御が行われる。【選択図】  図５
2006130301.tif 000002
【特許請求の範囲】
【請求項１】
それぞれ周囲に複数の図柄が表示された３個のリールと、
遊技者の操作により前記各リールの回転を開始させるためのスタートスイッチと、
前記各リールに対応してそれぞれ設けられ遊技者の操作により対応するリールの回転を停止させるための３個のストップスイッチと、
入賞役を決定するための乱数抽選を行う抽選手段とを備えたスロットマシンにおいて、
前記各リールについて、対応するストップスイッチ操作時のリール回転位置を検出する検出手段と、
前記各ストップスイッチの操作後に、前記乱数抽選の結果に対応して前記各リールの停止制御を行う停止制御手段と、
前記各リールについて、前記乱数抽選の結果ごとに、ストップスイッチ操作時のリール回転位置と該リール回転位置に対して一対一で予め定められたリール停止位置との対応関係を記憶する記憶手段とを備え、
前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、
前記停止制御手段は、
第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、
第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、
第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させる
ことを特徴とするスロットマシン。
【請求項２】
それぞれ周囲に複数の図柄が表示された３個のリールと、
遊技者の操作により前記各リールの回転を開始させるためのスタートスイッチと、
前記各リールに対応してそれぞれ設けられ遊技者の操作により対応するリールの回転を停止させるための３個のストップスイッチと、
入賞役を決定するための乱数抽選を行う抽選手段とを備えたスロットマシンにおいて、
前記各リールについて、対応するストップスイッチ操作時のリール回転位置を検出する検出手段と、
前記各ストップスイッチの操作後に、前記乱数抽選の結果に対応して前記各リールの停止制御を行う停止制御手段と、
前記各リールについて、前記乱数抽選の結果ごとに、ストップスイッチ操作時のリール回転位置と該リール回転位置に対して一対一で予め定められたリール停止位置との対応関係を記憶する記憶手段とを備え、
前記記憶手段は、前記各リールについて、前記乱数抽選の結果ごとに、対応するストップスイッチが第１番目に操作されたときの前記対応関係として複数種類の第１の対応関係を記憶するとともに、該複数種類の第１の対応関係を使用する予め定められた使用順を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、
前記停止制御手段は、
第１番目のストップスイッチ操作時には、該ストップスイッチに対応するリールについての前記乱数抽選の結果に対応する前記複数種類の第１の対応関係から前記使用順に該当する第１の対応関係を選択し、該第１の対応関係で決まる第１番目のリール停止位置で第１番目のリールを停止させ、
第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、
第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させる
ことを特徴とするスロットマシン。
【請求項３】
前記３個のリールとして水平方向に並べられた左・中・右リールを備えるとともに、前記３個のストップスイッチとして水平方向に並べられた左・中・右ストップスイッチを備え、
さらに、前記各リールにつき上段・中段・下段の３個ずつ合計９個の図柄が表示可能な表示枠を備え、
前記停止制御手段は、前記乱数抽選の結果に対応する図柄を前記表示枠内の予め定められた水平、右下がりおよび右上がりの有効ラインに並ばせる
ことを特徴とする請求項１または２に記載のスロットマシン。
【請求項４】
前記３個のリールとして水平方向に並べられた左・中・右リールを備えるとともに、前記３個のストップスイッチとして水平方向に並べられた左・中・右ストップスイッチを備え、
前記記憶手段は、前記乱数抽選の結果が前記入賞役のうち特定役の当選である場合で、かつ左・中・右ストップスイッチの順番で操作された場合の前記第１、第２、第３の対応関係として、
第１番目の左ストップスイッチ操作時の左リール回転位置に対する左リール停止位置として、全ての該リール回転位置で前記特定役に対応する図柄が前記表示枠の上段で停止するように設定された１個目の前記第１の対応関係と、全ての該リール回転位置で前記特定役に対応する図柄が前記表示枠の中段で停止するように設定された２個目の前記第１の対応関係と、全ての該リール回転位置で前記特定役に対応する図柄が前記表示枠の下段で停止するように設定された３個目の前記第１の対応関係と、
第２番目の中ストップスイッチ操作時の中リール回転位置に対する中リール停止位置として、該リール回転位置に応じて前記特定役に対応する図柄が前記表示枠の上段・中段のいずれかで停止するように設定された１個目の前記第２の対応関係と、全ての該リール回転位置で前記特定役に対応する図柄が前記表示枠の中段で停止するように設定された２個目の前記第２の対応関係と、該リール回転位置に応じて前記特定役に対応する図柄が前記表示枠の中段・下段のいずれかで停止するように設定された３個目の前記第２の対応関係と、
第３番目の右ストップスイッチ操作時の右リール回転位置に対する右リール停止位置として、全ての該リール回転位置で前記特定役に対応する図柄が前記表示枠の上段で停止するように設定された１個目の前記第３の対応関係と、全ての該リール回転位置で前記特定役に対応する図柄が前記表示枠の中段で停止するように設定された２個目の前記第３の対応関係と、全ての該リール回転位置で前記特定役に対応する図柄が前記表示枠の下段で停止するように設定された３個目の前記第３の対応関係と
を記憶し、
前記停止制御手段は、前記乱数抽選の結果が前記特定役の当選である場合で、かつ左・中・右ストップスイッチの順番で操作された場合には、
第１番目の左ストップスイッチ操作時には、前記１個目ないし３個目の第１の対応関係から前記使用順に該当する第１の対応関係を選択し、該選択された第１の対応関係で決まる前記表示枠の上段・中段・下段のいずれかで前記特定役に対応する図柄が停止するように、左リールを停止させ、
第２番目の中ストップスイッチ操作時には、
左リールで前記特定役に対応する図柄が前記表示枠の上段で停止したときは、前記１個目の第２の対応関係を選択し、該１個目の第２の対応関係と中ストップスイッチ操作時の中リール回転位置とで決まる前記表示枠の上段・中段のいずれかで前記特定役に対応する図柄が停止するように、中リールを停止させ、
左リールで前記特定役に対応する図柄が前記表示枠の中段で停止したときは、前記２個目の第２の対応関係を選択し、該２個目の第２の対応関係で決まる前記表示枠の中段で前記特定役に対応する図柄が停止するように、中リールを停止させ、
左リールで前記特定役に対応する図柄が前記表示枠の下段で停止したときは、前記３個目の第２の対応関係を選択し、該３個目の第２の対応関係と中ストップスイッチ操作時の中リール回転位置とで決まる前記表示枠の中段・下段のいずれかで前記特定役に対応する図柄が停止するように、中リールを停止させ、
第３番目の右ストップスイッチ操作時には、
左リールで前記特定役に対応する図柄が前記表示枠の上段で停止し、かつ中リールで前記特定役に対応する図柄が前記表示枠の上段で停止したときは、前記１個目の第３の対応関係を選択し、該１個目の第３の対応関係で決まる前記表示枠の上段で前記特定役に対応する図柄が停止するように、右リールを停止させ、
左リールで前記特定役に対応する図柄が前記表示枠の上段で停止し、かつ中リールで前記特定役に対応する図柄が前記表示枠の中段で停止したときは、前記３個目の第３の対応関係を選択し、該３個目の第３の対応関係で決まる前記表示枠の下段で前記特定役に対応する図柄が停止するように、右リールを停止させ、
左リールで前記特定役に対応する図柄が前記表示枠の中段で停止し、かつ中リールで前記特定役に対応する図柄が前記表示枠の中段で停止したときは、前記２個目の第３の対応関係を選択し、該２個目の第３の対応関係で決まる前記表示枠の中段で前記特定役に対応する図柄が停止するように、右リールを停止させ、
左リールで前記特定役に対応する図柄が前記表示枠の下段で停止し、かつ中リールで前記特定役に対応する図柄が前記表示枠の中段で停止したときは、前記１個目の第３の対応関係を選択し、該１個目の第３の対応関係で決まる前記表示枠の上段で前記特定役に対応する図柄が停止するように、右リールを停止させ、
左リールで前記特定役に対応する図柄が前記表示枠の下段で停止し、かつ中リールで前記特定役に対応する図柄が前記表示枠の下段で停止したときは、前記３個目の第３の対応関係を選択し、該３個目の第３の対応関係で決まる前記表示枠の下段で前記特定役に対応する図柄が停止するように、右リールを停止させる
ことを特徴とする請求項２に記載のスロットマシン。
【請求項５】
それぞれ周囲に複数の図柄が表示された３個のリールと、
遊技者の操作により前記各リールの回転を開始させるためのスタートスイッチと、
前記各リールに対応してそれぞれ設けられ遊技者の操作により対応するリールの回転を停止させるための３個のストップスイッチと
を備えたスロットマシンを、
入賞役を決定するための乱数抽選を行う抽選手段と、
前記各リールについて、対応するストップスイッチ操作時のリール回転位置を検出する検出手段と、
前記各ストップスイッチの操作後に、前記乱数抽選の結果に対応して前記各リールの停止制御を行う停止制御手段と、
前記各リールについて、前記乱数抽選の結果ごとに、ストップスイッチ操作時のリール回転位置と該リール回転位置に対して一対一で予め定められたリール停止位置との対応関係を記憶する記憶手段
として機能させるとともに、
前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、
前記停止制御手段は、
第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、
第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、
第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させる
ことを特徴とするスロットマシン用プログラム。
【請求項６】
それぞれ周囲に複数の図柄が表示された３個のリールと、
遊技者の操作により前記各リールの回転を開始させるためのスタートスイッチと、
前記各リールに対応してそれぞれ設けられ遊技者の操作により対応するリールの回転を停止させるための３個のストップスイッチと
を備えたスロットマシンを、
入賞役を決定するための乱数抽選を行う抽選手段と、
前記各リールについて、対応するストップスイッチ操作時のリール回転位置を検出する検出手段と、
前記各ストップスイッチの操作後に、前記乱数抽選の結果に対応して前記各リールの停止制御を行う停止制御手段と、
前記各リールについて、前記乱数抽選の結果ごとに、ストップスイッチ操作時のリール回転位置と該リール回転位置に対して一対一で予め定められたリール停止位置との対応関係を記憶する記憶手段
として機能させるとともに、
前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、
前記停止制御手段は、
第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、
第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、
第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させる
ことを特徴とするスロットマシン用プログラムを記録したコンピュータ読み取り可能な記録媒体。
【発明の詳細な説明】
【技術分野】
【０００１】
本発明は、スロットマシンに設けられるリールの回転を停止させる停止制御技術に関するものである。
【背景技術】
【０００２】
従来、複数の図柄が表示された例えば３個の左・中・右リールを備え、スタートスイッチが操作されると、３個全てのリールの回転を開始させるとともに入賞役を決定するためのメイン抽選を行い、左・中・右ストップスイッチのいずれかが操作されると、そのストップスイッチに対応するリールを抽選結果に基づき停止制御し、３個すべてのリールが停止したときに、所定の図柄が予め定められた有効ライン上に揃うと入賞と判定して、遊技者に対して所定の利益を付与するように構成したスロットマシンが知られている（例えば特許文献１参照）。この特許文献１に記載のスロットマシンでは、停止するか停止しないかの停止・非停止の２状態を１ビットで表す停止データを記憶する停止テーブルを備え、ストップスイッチの操作時点での各リールの各図柄に対応するコマ番号に対応する停止データが非停止のときは停止となるコマ番号までリールを進ませて停止させるようにしている。この停止テーブルは、複数個設けられ、乱数を用いたサブ抽選などにより択一的に選択されて使用されるようになっている。
【０００３】
【特許文献１】特開平１１−１７８９８７号公報（段落００２１，００２２）
【発明の開示】
【発明が解決しようとする課題】
【０００４】
ところが、上記特許文献１に記載のスロットマシンでは、複数個の停止テーブルからサブ抽選で択一的に選択された停止テーブルが使用される、つまり停止テーブルの選択において確率的要素が存在するため、適正なタイミングでストップスイッチを操作しているにもかかわらず、サブ抽選の結果によっては、入賞役を決定するためのメイン抽選の結果に対応する位置にリールが停止されず、遊技者にとっては不自然な事態を招いていた。特に、回転するリール上の図柄を見極めてストップスイッチの操作タイミングを図る技量に優れた遊技者にとっては非常に不自然であった。このことは、停止テーブルに代えてプログラムを用いてリールの停止制御を行う方式のスロットマシンにおいても同様である。
【０００５】
また、最近では、例えば図１６に示すように、メイン抽選でビッグボーナスが当選しているにもかかわらず、その当選に対応するゲームとは異なるゲーム、例えば高確率再遊技またはハズレ遊技を確率的に選択されたゲーム数または固定ゲーム数の間だけ行い、その確率的に選択されたゲーム数または固定ゲーム数が終了した後に、メイン抽選での当選に対応するゲームを行うようにリール停止制御を行う機能を備えたスロットマシンが存在している。ところが、このような機能は遊技の公正を害する機能として問題があった。
【０００６】
本発明は、上記課題に鑑みてなされたもので、適正なタイミングでストップスイッチを操作すれば、入賞役を決定するためのメイン抽選の結果に対応する位置にリールを確実に停止させることで、遊技の公正を害することがないスロットマシン、スロットマシン用プログラムおよびスロットマシン用プログラムを記録したコンピュータ読み取り可能な記録媒体を提供することを目的とする。
【課題を解決するための手段】
【０００７】
上記目的を達成するために、本発明に係るスロットマシンは、それぞれ周囲に複数の図柄が表示された３個のリールと、遊技者の操作により前記各リールの回転を開始させるためのスタートスイッチと、前記各リールに対応してそれぞれ設けられ遊技者の操作により対応するリールの回転を停止させるための３個のストップスイッチと、入賞役を決定するための乱数抽選を行う抽選手段とを備えたスロットマシンにおいて、前記各リールについて、対応するストップスイッチ操作時のリール回転位置を検出する検出手段と、前記各ストップスイッチの操作後に、前記乱数抽選の結果に対応して前記各リールの停止制御を行う停止制御手段と、前記各リールについて、前記乱数抽選の結果ごとに、ストップスイッチ操作時のリール回転位置と該リール回転位置に対して一対一で予め定められたリール停止位置との対応関係を記憶する記憶手段とを備え、前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、前記停止制御手段は、第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させることを特徴としている（請求項１）。
【０００８】
また、それぞれ周囲に複数の図柄が表示された３個のリールと、遊技者の操作により前記各リールの回転を開始させるためのスタートスイッチと、前記各リールに対応してそれぞれ設けられ遊技者の操作により対応するリールの回転を停止させるための３個のストップスイッチと、入賞役を決定するための乱数抽選を行う抽選手段とを備えたスロットマシンにおいて、前記各リールについて、対応するストップスイッチ操作時のリール回転位置を検出する検出手段と、前記各ストップスイッチの操作後に、前記乱数抽選の結果に対応して前記各リールの停止制御を行う停止制御手段と、前記各リールについて、前記乱数抽選の結果ごとに、ストップスイッチ操作時のリール回転位置と該リール回転位置に対して一対一で予め定められたリール停止位置との対応関係を記憶する記憶手段とを備え、前記記憶手段は、前記各リールについて、前記乱数抽選の結果ごとに、対応するストップスイッチが第１番目に操作されたときの前記対応関係として複数種類の第１の対応関係を記憶するとともに、該複数種類の第１の対応関係を使用する予め定められた使用順を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、前記停止制御手段は、第１番目のストップスイッチ操作時には、該ストップスイッチに対応するリールについての前記乱数抽選の結果に対応する前記複数種類の第１の対応関係から前記使用順に該当する第１の対応関係を選択し、該第１の対応関係で決まる第１番目のリール停止位置で第１番目のリールを停止させ、第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させるとしてもよい（請求項２）。
【０００９】
また、前記３個のリールとして水平方向に並べられた左・中・右リールを備えるとともに、前記３個のストップスイッチとして水平方向に並べられた左・中・右ストップスイッチを備え、さらに、前記各リールにつき上段・中段・下段の３個ずつ合計９個の図柄が表示可能な表示枠を備え、前記停止制御手段は、前記乱数抽選の結果に対応する図柄を前記表示枠内の予め定められた水平、右下がりおよび右上がりの有効ラインに並ばせるとしてもよい（請求項３）。
【００１０】
また、前記３個のリールとして水平方向に並べられた左・中・右リールを備えるとともに、前記３個のストップスイッチとして水平方向に並べられた左・中・右ストップスイッチを備え、前記記憶手段は、前記乱数抽選の結果が前記入賞役のうち特定役の当選である場合で、かつ左・中・右ストップスイッチの順番で操作された場合の前記第１、第２、第３の対応関係として、第１番目の左ストップスイッチ操作時の左リール回転位置に対する左リール停止位置として、全ての該リール回転位置で前記特定役に対応する図柄が前記表示枠の上段で停止するように設定された１個目の前記第１の対応関係と、全ての該リール回転位置で前記特定役に対応する図柄が前記表示枠の中段で停止するように設定された２個目の前記第１の対応関係と、全ての該リール回転位置で前記特定役に対応する図柄が前記表示枠の下段で停止するように設定された３個目の前記第１の対応関係と、第２番目の中ストップスイッチ操作時の中リール回転位置に対する中リール停止位置として、該リール回転位置に応じて前記特定役に対応する図柄が前記表示枠の上段・中段のいずれかで停止するように設定された１個目の前記第２の対応関係と、全ての該リール回転位置で前記特定役に対応する図柄が前記表示枠の中段で停止するように設定された２個目の前記第２の対応関係と、該リール回転位置に応じて前記特定役に対応する図柄が前記表示枠の中段・下段のいずれかで停止するように設定された３個目の前記第２の対応関係と、第３番目の右ストップスイッチ操作時の右リール回転位置に対する右リール停止位置として、全ての該リール回転位置で前記特定役に対応する図柄が前記表示枠の上段で停止するように設定された１個目の前記第３の対応関係と、全ての該リール回転位置で前記特定役に対応する図柄が前記表示枠の中段で停止するように設定された２個目の前記第３の対応関係と、全ての該リール回転位置で前記特定役に対応する図柄が前記表示枠の下段で停止するように設定された３個目の前記第３の対応関係とを記憶し、前記停止制御手段は、前記乱数抽選の結果が前記特定役の当選である場合で、かつ左・中・右ストップスイッチの順番で操作された場合には、第１番目の左ストップスイッチ操作時には、前記１個目ないし３個目の第１の対応関係から前記使用順に該当する第１の対応関係を選択し、該選択された第１の対応関係で決まる前記表示枠の上段・中段・下段のいずれかで前記特定役に対応する図柄が停止するように、左リールを停止させ、第２番目の中ストップスイッチ操作時には、左リールで前記特定役に対応する図柄が前記表示枠の上段で停止したときは、前記１個目の第２の対応関係を選択し、該１個目の第２の対応関係と中ストップスイッチ操作時の中リール回転位置とで決まる前記表示枠の上段・中段のいずれかで前記特定役に対応する図柄が停止するように、中リールを停止させ、左リールで前記特定役に対応する図柄が前記表示枠の中段で停止したときは、前記２個目の第２の対応関係を選択し、該２個目の第２の対応関係で決まる前記表示枠の中段で前記特定役に対応する図柄が停止するように、中リールを停止させ、左リールで前記特定役に対応する図柄が前記表示枠の下段で停止したときは、前記３個目の第２の対応関係を選択し、該３個目の第２の対応関係と中ストップスイッチ操作時の中リール回転位置とで決まる前記表示枠の中段・下段のいずれかで前記特定役に対応する図柄が停止するように、中リールを停止させ、第３番目の右ストップスイッチ操作時には、左リールで前記特定役に対応する図柄が前記表示枠の上段で停止し、かつ中リールで前記特定役に対応する図柄が前記表示枠の上段で停止したときは、前記１個目の第３の対応関係を選択し、該１個目の第３の対応関係で決まる前記表示枠の上段で前記特定役に対応する図柄が停止するように、右リールを停止させ、左リールで前記特定役に対応する図柄が前記表示枠の上段で停止し、かつ中リールで前記特定役に対応する図柄が前記表示枠の中段で停止したときは、前記３個目の第３の対応関係を選択し、該３個目の第３の対応関係で決まる前記表示枠の下段で前記特定役に対応する図柄が停止するように、右リールを停止させ、左リールで前記特定役に対応する図柄が前記表示枠の中段で停止し、かつ中リールで前記特定役に対応する図柄が前記表示枠の中段で停止したときは、前記２個目の第３の対応関係を選択し、該２個目の第３の対応関係で決まる前記表示枠の中段で前記特定役に対応する図柄が停止するように、右リールを停止させ、左リールで前記特定役に対応する図柄が前記表示枠の下段で停止し、かつ中リールで前記特定役に対応する図柄が前記表示枠の中段で停止したときは、前記１個目の第３の対応関係を選択し、該１個目の第３の対応関係で決まる前記表示枠の上段で前記特定役に対応する図柄が停止するように、右リールを停止させ、左リールで前記特定役に対応する図柄が前記表示枠の下段で停止し、かつ中リールで前記特定役に対応する図柄が前記表示枠の下段で停止したときは、前記３個目の第３の対応関係を選択し、該３個目の第３の対応関係で決まる前記表示枠の下段で前記特定役に対応する図柄が停止するように、右リールを停止させるとしてもよい（請求項４）。
【００１１】
また、上記目的を達成するために、本発明に係るスロットマシン用プログラムは、それぞれ周囲に複数の図柄が表示された３個のリールと、遊技者の操作により前記各リールの回転を開始させるためのスタートスイッチと、前記各リールに対応してそれぞれ設けられ遊技者の操作により対応するリールの回転を停止させるための３個のストップスイッチとを備えたスロットマシンを、入賞役を決定するための乱数抽選を行う抽選手段と、前記各リールについて、対応するストップスイッチ操作時のリール回転位置を検出する検出手段と、前記各ストップスイッチの操作後に、前記乱数抽選の結果に対応して前記各リールの停止制御を行う停止制御手段と、前記各リールについて、前記乱数抽選の結果ごとに、ストップスイッチ操作時のリール回転位置と該リール回転位置に対して一対一で予め定められたリール停止位置との対応関係を記憶する記憶手段として機能させるとともに、前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、前記停止制御手段は、第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させることを特徴としている（請求項５）。
【００１２】
また、上記目的を達成するために、本発明に係るスロットマシン用プログラムを記録したコンピュータ読み取り可能な記録媒体は、それぞれ周囲に複数の図柄が表示された３個のリールと、遊技者の操作により前記各リールの回転を開始させるためのスタートスイッチと、前記各リールに対応してそれぞれ設けられ遊技者の操作により対応するリールの回転を停止させるための３個のストップスイッチとを備えたスロットマシンを、入賞役を決定するための乱数抽選を行う抽選手段と、前記各リールについて、対応するストップスイッチ操作時のリール回転位置を検出する検出手段と、前記各ストップスイッチの操作後に、前記乱数抽選の結果に対応して前記各リールの停止制御を行う停止制御手段と、前記各リールについて、前記乱数抽選の結果ごとに、ストップスイッチ操作時のリール回転位置と該リール回転位置に対して一対一で予め定められたリール停止位置との対応関係を記憶する記憶手段として機能させるとともに、前記記憶手段は、前記各リールについて、前記乱数抽選の結果ごとに、対応するストップスイッチが第１番目に操作されたときの前記対応関係として単一の第１の対応関係を記憶し、対応するストップスイッチが第２番目に操作されたときの前記対応関係として複数種類の第２の対応関係を記憶し、対応するストップスイッチが第３番目に操作されたときの前記対応関係として複数種類の第３の対応関係を記憶し、前記停止制御手段は、第１番目のストップスイッチ操作時には、該ストップスイッチに対応するリールについての前記乱数抽選の結果に対応する前記単一の第１の対応関係を選択し、該第１の対応関係で決まる第１番目のリール停止位置で第１番目のリールを停止させ、第２番目のストップスイッチ操作時には、該ストップスイッチに対応するリールについての前記乱数抽選の結果に対応する前記複数種類の第２の対応関係から前記第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての前記乱数抽選の結果に対応する前記複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させることを特徴としている（請求項６）。
【発明の効果】
【００１３】
請求項１，５，６の発明によれば、第１番目のストップスイッチ操作時には、該ストップスイッチに対応するリールについての乱数抽選の結果に対応する単一の第１の対応関係を選択し、該第１の対応関係で決まる第１番目のリール停止位置で第１番目のリールを停止させ、第２番目のストップスイッチ操作時には、該ストップスイッチに対応するリールについての乱数抽選の結果に対応する複数種類の第２の対応関係から第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての乱数抽選の結果に対応する複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させるため、適正なタイミングでストップスイッチを操作すれば、乱数抽選の結果に対応する停止位置にリールを確実に停止させることができる。したがって、従来のような不自然な事態が生じるのを未然に防止することができ、遊技の公正を確保することができる。
【００１４】
また、請求項２の発明によれば、第１番目のストップスイッチ操作時には、該ストップスイッチに対応するリールについての乱数抽選の結果に対応する複数種類の第１の対応関係から使用順に該当する第１の対応関係を選択し、該第１の対応関係で決まる第１番目のリール停止位置で第１番目のリールを停止させ、第２番目のストップスイッチ操作時には、該ストップスイッチに対応するリールについての乱数抽選の結果に対応する複数種類の第２の対応関係から第１番目のリール停止位置に対して予め定められた第２の対応関係を選択し、該第２の対応関係で決まる第２番目のリール停止位置で第２番目のリールを停止させ、第３番目のストップスイッチ操作時には、該ストップスイッチに対応するリールについての乱数抽選の結果に対応する複数種類の第３の対応関係から第１番目のリール停止位置および第２番目のリール停止位置に対して予め定められた第３の対応関係を選択し、該第３の対応関係で決まる第３番目のリール停止位置で第３番目のリールを停止させるため、適正なタイミングでストップスイッチを操作すれば、乱数抽選の結果に対応する停止位置にリールを確実に停止させることができる。したがって、従来のような不自然な事態が生じるのを未然に防止することができ、遊技の公正を確保することができる。
【００１５】
また、請求項３の発明によれば、乱数抽選の結果に対応する図柄が表示枠内の予め定められた水平、右下がりおよび右上がりの有効ラインに並ぶため、乱数抽選の結果に対応する停止位置にリールを確実に停止させることができる。
【００１６】
また、請求項４の発明によれば、乱数抽選の結果が特定役の当選である場合で、かつ左・中・右ストップスイッチの順番で操作された場合には、第１番目の左ストップスイッチ操作時には、１個目ないし３個目の第１の対応関係から使用順に該当する第１の対応関係を選択し、該選択された第１の対応関係で決まる表示枠の上段・中段・下段のいずれかで特定役に対応する図柄が停止するように、左リールを停止させ、第２番目の中ストップスイッチ操作時には、左リールで特定役に対応する図柄が表示枠の上段で停止したときは、１個目の第２の対応関係を選択し、該１個目の第２の対応関係と中ストップスイッチ操作時の中リール回転位置とで決まる表示枠の上段・中段のいずれかで特定役に対応する図柄が停止するように、中リールを停止させ、左リールで特定役に対応する図柄が表示枠の中段で停止したときは、２個目の第２の対応関係を選択し、該２個目の第２の対応関係で決まる表示枠の中段で特定役に対応する図柄が停止するように、中リールを停止させ、左リールで特定役に対応する図柄が表示枠の下段で停止したときは、３個目の第２の対応関係を選択し、該３個目の第２の対応関係と中ストップスイッチ操作時の中リール回転位置とで決まる表示枠の中段・下段のいずれかで特定役に対応する図柄が停止するように、中リールを停止させ、第３番目の右ストップスイッチ操作時には、左リールで特定役に対応する図柄が表示枠の上段で停止し、かつ中リールで特定役に対応する図柄が表示枠の上段で停止したときは、１個目の第３の対応関係を選択し、該１個目の第３の対応関係で決まる表示枠の上段で特定役に対応する図柄が停止するように、右リールを停止させ、左リールで特定役に対応する図柄が表示枠の上段で停止し、かつ中リールで特定役に対応する図柄が表示枠の中段で停止したときは、３個目の第３の対応関係を選択し、該３個目の第３の対応関係で決まる表示枠の下段で特定役に対応する図柄が停止するように、右リールを停止させ、左リールで特定役に対応する図柄が表示枠の中段で停止し、かつ中リールで特定役に対応する図柄が表示枠の中段で停止したときは、２個目の第３の対応関係を選択し、該２個目の第３の対応関係で決まる表示枠の中段で特定役に対応する図柄が停止するように、右リールを停止させ、左リールで特定役に対応する図柄が表示枠の下段で停止し、かつ中リールで特定役に対応する図柄が表示枠の中段で停止したときは、１個目の第３の対応関係を選択し、該１個目の第３の対応関係で決まる表示枠の上段で特定役に対応する図柄が停止するように、右リールを停止させ、左リールで特定役に対応する図柄が表示枠の下段で停止し、かつ中リールで特定役に対応する図柄が表示枠の下段で停止したときは、３個目の第３の対応関係を選択し、該３個目の第３の対応関係で決まる表示枠の下段で特定役に対応する図柄が停止するように、右リールを停止させるため、特定役に対応する図柄を有効ラインに確実に並ばせることができる。
【発明を実施するための最良の形態】
【００１７】
この発明の実施形態について以下に説明する。なお、本実施形態は有効ライン（後述）を５本とした場合の例である。図１は本発明に係るスロットマシンの一実施形態の外観を示す斜視図、図２はリールの図柄配列の一例を示す図、図３はリールの図柄に対応するコマ番号の配列と回転方向を示す図である。この実施形態におけるスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１８】
そして、この正面板９には横長矩形の表示枠１１が設けられている。また、表示枠１１の内側には左・中・右のリール１３Ｌ，１３Ｍ，１３Ｒ（図４参照）が配置されている。左・中・右リール１３Ｌ，１３Ｍ，１３Ｒには、例えば「７」、「クロス」、「ＢＡＲ」、「スイカ」、「ベル」、「チェリー」、「Replay」の複数種類（この実施形態では例えば７種類）の図柄が合計２１個、所定の配列でそれぞれ表示されている。なお、図２では「ベル」のみを示しており、それ以外の図示を省略している。また、各図柄には、０番から２０番までのコマ番号が順に付されている。そして、例えば図３に示すように、コマ番号０番から２０番までの図柄が印刷されたシールテープ１４Ｌがリールの周面に貼り付けられて左リール１３Ｌが構成される。そして、左リール１３Ｌが図３中の矢印方向に回転すると、コマ番号２０番、１９番、…、０番、２０番、…の順に図柄が表示枠１１に表示される。表示枠１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示されるようになっている。なお、中・右リール１３Ｍ，１３Ｒも、それぞれ図３の左リール１３Ｌと同様に構成されている。
【００１９】
更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各リールの回転を開始させるためのレバー状のスタートスイッチ１９、左・中・右リール１３Ｌ，１３Ｍ，１３Ｒの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００２０】
また、正面板９の上方のほぼ中央には、動画などを表示して演出を行うための液晶表示器２７が設けられ、液晶表示器２７のすぐ上方には、各種の入賞図柄が表示された説明パネル２９が設けられ、これら液晶表示器２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２１】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、筐体３の内部のリール１３Ｌ，１３Ｍ，１３Ｒの下方には、メダルを払出口３９に排出するためのホッパーユニット４３（図４参照）が配設されている。
【００２２】
図４はスロットマシン１の電気的構成を示すブロック図、図５はメイン制御基板６３の機能を示す機能ブロック図、図６は乱数抽選の結果を説明する図である。図４において、投入センサ５１は、筐体３内部のメダル投入口２５近傍に設けられ、投入されたメダルを１枚ずつ検知するものである。払出センサ５３は、ホッパーユニット４３の出口に設けられ、払出口３９に払い出されるメダルを１枚ずつ検知するものである。左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると一周ごとに突起部を検出してその検出信号をメイン制御基板６３に出力する。この実施形態では例えば、左・中・右位置センサ５５Ｌ，５５Ｍ，５５Ｒが上記突起部を検出したときに、それぞれコマ番号２０番の図柄が表示枠１１の中段に位置するように構成されている。なお、リール１３Ｌ，１３Ｍ，１３Ｒは、それぞれ、この実施形態では例えばステッピングモータによって回転駆動される。
【００２３】
また、このスロットマシン１では、遊技に関する制御を行うメインＣＰＵ６１が実装されたメイン制御基板６３と、遊技に関連する演出の制御を行うサブＣＰＵ７１が実装されたサブ制御基板７３とが別々に設けられている。メイン制御基板６３のＲＡＭ６５はデータを一時的に記憶し、ＲＯＭ６７は予め設定されたデータ（後述の停止テーブルなど）を含むスロットマシン用プログラムを記憶する。メインＣＰＵ６１は、このスロットマシン用プログラムにしたがって動作することで、遊技に関する制御を行う。また、メインＣＰＵ６１は、遊技に関連するデータを演出制御データとしてサブＣＰＵ７１に送る。サブ制御基板７３のメモリ７５は、データを一時的に記憶するＲＡＭ部と演出用プログラムを記憶するＲＯＭ部とからなる。サブＣＰＵ７１は、メインＣＰＵ６１からの演出制御データに基づき、演出用プログラムにしたがって動作することで、遊技に関連する演出の制御を行う。例えば、サブＣＰＵ７１は、遊技の進行や乱数抽選の結果などに対応して予め設定された演出パターンに応じて、液晶表示器２７に動画を表示したり、スピーカ３１Ｌ，３１Ｒから音楽を発生させたり、上部ランプ部３３や下部ランプ部３７Ｌ，３７Ｒの光源を一斉にあるいは個別に点滅させる。
【００２４】
図５において、メイン制御基板６３の遊技制御手段１００は遊技を制御する。遊技には、一般的な遊技である通常遊技と、遊技者にとって通常遊技よりも有利な遊技である特別遊技（ボーナスゲーム）とがあり、遊技制御手段１００はこれらの遊技を制御する。
【００２５】
通常遊技について簡単に説明すると、このスロットマシン１では、投入センサ５１によりメダル投入口２５からのメダル投入が検出されるか、あるいはベットスイッチ１５または最大ベットスイッチ１７の操作によりクレジットメダルの投入指示があると、ゲームが開始される。そして、ゲーム開始後にスタートスイッチ１９を操作すると、まず、入賞役を決定するための乱数抽選が行われ、ほぼ同時に、３個すべてのリール１３Ｌ，１３Ｍ，１３Ｒの回転が開始する。その後に、３個のストップスイッチ２１Ｌ，２１Ｍ，２１Ｒのうちの１個を操作すると、当該ストップスイッチ２１Ｌ，２１Ｍ，２１Ｒに対応したリール１３Ｌ，１３Ｍ，１３Ｒの回転が停止する。そして、３個すべてのストップスイッチ２１Ｌ，２１Ｍ，２１Ｒを操作し終えると、３個すべてのリール１３Ｌ，１３Ｍ，１３Ｒの回転が停止する。このとき、所定の図柄が表示枠１１内において、ベットのメダル枚数が１枚のときは予め定められた横３本、３枚のときはさらに予め定められた斜め２本を加えた計５本の有効ラインのいずれかに並んで停止すると入賞になり、ホッパーユニット４３により遊技者に対して所定枚数のメダルが払い出されるか、または遊技者に対してリプレイなどの所定の利益が付与される。なお、メダルの払い出しに代えて、クレジットメダルとして内部に貯留されることもある。
【００２６】
入賞役を決定するための乱数抽選の結果には、特定導入遊技当選（ビッグボーナス（ＢＢ）当選）と、特定遊技当選（レギュラーボーナス（ＲＢ）当選）と、小役当選と、再遊技当選（Replay当選）と、ハズレとがある。また、入賞には、特定導入遊技（ＢＢゲーム）への移行に係る特定導入遊技入賞（ＢＢ入賞）と、特定遊技（ＲＢゲーム）への移行に係る特定遊技入賞（ＲＢ入賞）と、所定枚数のメダルの払い出しに係る小役入賞と、再遊技（Replay）の実行に係る再遊技入賞（Replay入賞）とがある。
【００２７】
上記ＲＢゲームとは、特定入賞遊技（ＪＡＣゲーム）を複数回行い得ることにより、通常遊技よりも当選確率が高い遊技をいい、また、ＢＢゲームとは、ＲＢゲームの導入確率が高い遊技を言う。そして、所定の図柄（例えば図６では「７」または「クロス」）が有効ライン上に３個揃うと、ＢＢ入賞となり、払い出しがある場合にはメダルが払い出されて、通常遊技からＢＢゲームに移行する。また、所定の図柄（例えば図６では「ＢＡＲ」）が有効ライン上に３個揃うと、ＲＢ入賞となり、払い出しがある場合にはメダルが払い出されて、通常遊技からＲＢゲームに移行する。また、所定の図柄（例えば図６では「スイカ」や「ベル」）が有効ライン上に３個揃うか、あるいは、左リール１３Ｌの単独入賞図柄（例えば図６では「チェリー」）と中・右リール１３Ｍ，１３Ｒのいずれかの図柄が有効ライン上で停止すると、それぞれ小役入賞となり、それぞれ所定枚数のメダルが払い出される。また、例えば図６では「Replay」が有効ライン上に３個揃うと、Replay入賞となり、新たなメダルを投入することなく、前回の遊技と同じ条件で再度遊技を行うことができる。
【００２８】
なお、乱数抽選の結果がＢＢ当選になると、ＢＢ当選に基づいたリール１３Ｌ，１３Ｍ，１３Ｒの停止制御が行われるが、このとき、ＢＢ入賞が引き当てられないと、このＢＢ当選は、ＢＢ入賞が引き当てられるまで持ち越されることとなっている。ＲＢ当選についても同様である。ＢＢ当選またはＲＢ当選が持ち越された状態をそれぞれ「ＢＢ内部当り」、「ＲＢ内部当り」と称する。一方、小役当選は、乱数抽選の結果が小役当選となった遊技で小役入賞を引き当てられないと、次回の遊技には持ち越されないこととなっている。Replay当選についても同様である。
【００２９】
抽選手段１１０は入賞役を決定するための乱数抽選を行うもので、図５に示すように、乱数発生手段１１１、乱数抽出手段１１２、抽選テーブル１１３、及び抽選判定手段１１４を備えている。乱数発生手段１１１は、抽選用の乱数を、所定の範囲内（例えば、１０進数で０〜１６３８３）で発生させるものである。この乱数発生手段１１１は、例えば、発振回路と、この発振回路が発生させたクロック信号をカウントするカウンタ回路とによって構成することができる（いわゆるハード乱数）。なお、この乱数発生手段１１１は、例えば、平均採中法で乱数を発生させる手段や、あるいは素数の加算によって乱数を発生させる手段によって構成することもできる。これらの手段は、例えば、メインＣＰＵ６１に所定のプログラムを実行させることによって構成することができる（いわゆるソフト乱数）。また、ハード乱数とソフト乱数の双方を備え、それらの結果に基づき乱数をソフト的に生成するようにしてもよい。乱数抽出手段１１２は、乱数発生手段１１１が発生させた乱数を抽出するもので、乱数発生手段１１１が発生させた乱数を所定の条件（この実施形態では例えばスタートスイッチ１９の操作）で抽出する。なお、乱数発生手段１１１は、カウンタ回路などによって構成されるため、乱数発生手段１１１が発生させる数値は、厳密には乱数ではない。ただ、スタートスイッチ１９が操作されるタイミングは、ランダムであると考えられるため、乱数抽出手段１１２が抽出する数値は、実質的には乱数として取り扱うことができる。
【００３０】
抽選テーブル１１３は、乱数発生手段１１１が発生させる全範囲の乱数について、当選か否かをあらかじめ所定の割合で定めたものである。この抽選テーブル１１３は、乱数発生手段１１１が発生させる全範囲の乱数について、ＢＢ当選にするか、ＲＢ当選にするか、小役当選にするか、Replay当選にするか、あるいはハズレにするかを、あらかじめ所定の割合で定めている。抽選判定手段１１４は、乱数抽出手段１１２が抽出した乱数と、抽選テーブル１１３とを照合して、乱数抽選結果の判定を行うものである。この抽選判定手段１１４は、乱数抽出手段１１２が抽出した乱数と、抽選テーブル１１３とを照合して、乱数抽選の結果が、ＢＢ当選か、ＲＢ当選か、小役当選か、Replay当選か、あるいはハズレかを判定する。
【００３１】
検出手段１２０は、左・中・右位置センサ５５Ｌ，５５Ｍ，５５Ｒの検出信号と、左・中・右回転リール１３Ｌ，１３Ｍ，１３Ｒを駆動する各ステッピングモータへの供給パルス数とに基づき、左・中・右回転リール１３Ｌ，１３Ｍ，１３Ｒの回転位置をそれぞれ検出するものである。すなわち、この検出手段１２０は、左・中・右回転リール１３Ｌ，１３Ｍ，１３Ｒの回転中および回転停止時に、表示枠１１の中段に位置する図柄に対応するコマ番号をそれぞれ検出する。
【００３２】
停止制御手段１２５は、抽選手段１１０の乱数抽選結果に基づき、停止テーブル１３０を用いて、リール１３Ｌ，１３Ｍ，１３Ｒの停止制御を行うものである。この停止テーブル１３０は、図柄の停止位置を決定するためのものであって、ストップスイッチ２１Ｌ，２１Ｍ，２１Ｒの操作時のリール１３Ｌ，１３Ｍ，１３Ｒの回転位置（この実施形態では表示枠１１の中段に位置する図柄に対応するコマ番号）に対応して、リール１３Ｌ，１３Ｍ，１３Ｒの滑りコマ数をあらかじめ定めたもので、左・中・右リール用停止テーブル１３１，１３２，１３３を備えている。なお、この実施形態におけるリール停止制御については後に詳述する。
【００３３】
入賞判定手段１４０は、所定の図柄が所定の位置に停止したときに入賞と判定するものである。具体的には、入賞判定手段１４０は、「７」または「クロス」が有効ライン上に３個揃うとＢＢ入賞と判定し、「ＢＡＲ」が有効ライン上に３個揃うとＲＢ入賞と判定する。また、入賞判定手段１４０は、「スイカ」または「ベル」が有効ライン上に３個揃うか、あるいは左リール１３Ｌの「チェリー」が有効ライン上で停止すると、それぞれ小役入賞と判定する。また、入賞判定手段１４０は、「Replay」が有効ライン上に３個揃うとReplay入賞と判定する。払出制御手段１５０は、ホッパーユニット４３を制御して、入賞したときに入賞態様に応じた枚数のメダルを払い出すものである。また、払出制御手段１５０は、ホッパーユニット４３の制御に代えて、クレジットメダルを払出枚数だけ増加させるようにしてもよい。
【００３４】
次に、リール停止制御について詳述する。ここでは、抽選手段１１０における乱数抽選の結果が「ベル」の小役当選であり、ストップスイッチが左・中・右ストップスイッチ２１Ｌ，２１Ｍ，２１Ｒの順に操作された場合について説明する。図７は停止テーブルを用いたリール停止制御を説明する図、図８は左・中・右リール用停止テーブル１３１，１３２，１３３を説明する図である。
【００３５】
図７（Ａ）に示すように、スタートスイッチ１９の操作により回転を開始した左・中・右リール１３Ｌ，１３Ｍ，１３Ｒの回転中に、まず、左ストップスイッチ２１Ｌが操作されると、左リール１３Ｌの停止制御が行われる。ここで、スタートスイッチ１９の操作時に行われた抽選手段１１０の乱数抽選の結果が「ベル」の小役当選になっているので、入賞役「ベル」に対応する左リール用停止テーブル１３１、すなわち、「ベル」を有効ラインに引き込むように設定された左リール用停止テーブル１３１が用いられる。
【００３６】
例えば左ストップスイッチ２１Ｌの操作時の左リール１３Ｌの回転位置が図７（Ｂ）に示すような状態であるとする。このとき、図７（Ｃ）に示すように「ベル」を表示枠１１の上段に停止させるときは３コマだけ進ませ、図７（Ｄ）に示すように「ベル」を表示枠１１の中段に停止させるときは４コマだけ進ませ、図７（Ｅ）に示すように「ベル」を表示枠１１の下段に停止させるときは５コマだけ進ませる。
【００３７】
停止テーブル１３０は、乱数抽選の各結果に対応して備えられている。すなわち、ＢＢ当選、ＲＢ当選、各小役当選、Replay当選、ハズレのそれぞれに対応して備えられている。例えば「ベル」の小役当選で左ストップスイッチ２１Ｌが最初に操作された場合に対応して、図８に示す左リール用停止テーブル１３１が１つだけ備えられている。そして、停止制御手段１２５は、まず乱数抽選結果に対応する停止テーブル１３０を選択する。次いで、ストップスイッチ２１Ｌ，２１Ｍ，２１Ｒの操作時に表示枠１１の中段に位置するリール１３Ｌ，１３Ｍ，１３Ｒの図柄に対応するコマ番号を検出手段１２０で検出し、そのコマ番号に対応付けられた滑りコマ数を、選択した停止テーブル１３０から抽出する。ここで、滑りコマ数が「０」であれば、直ちにリール１３Ｌ，１３Ｍ，１３Ｒの回転を停止させる。すなわち、滑りコマ数が「０」のときは、ストップスイッチ２１Ｌ，２１Ｍ，２１Ｒが操作されたときに表示枠１１の上段に表示されていた図柄は、そのまま表示枠１１の上段に停止表示される。また、滑りコマ数が「１」のときは、１コマ分だけリール１３Ｌ，１３Ｍ，１３Ｒを回転させて停止させる。すなわち、滑りコマ数が「１」のときは、ストップスイッチ２１Ｌ，２１Ｍ，２１Ｒが操作されたときに表示枠１１の上段に表示されていた図柄は、リール１３Ｌ，１３Ｍ，１３Ｒの回転方向に１コマずれて、表示枠１１の中段に停止表示される。
【００３８】
したがって、図８において、左ストップスイッチ２１Ｌの操作時に各コマ番号の図柄が表示枠１１の中段に位置するときは、左リール用停止テーブル１３１の各滑りコマ数だけ進むので、左リール１３Ｌの停止位置、すなわち左リール１３Ｌの停止時に表示枠１１の中段に位置する図柄のコマ番号は、図８の「左リール」の「停止位置」の欄に示すコマ番号になる。例えば左ストップスイッチ２１Ｌの操作時にコマ番号「０」の図柄が表示枠１１の中段に位置するときは、滑りコマ数「３」だけ進むので、左リール１３Ｌの停止時に表示枠１１の中段に位置する図柄のコマ番号は「１８」になる。
【００３９】
その結果、各コマ番号の図柄が表示枠１１の中段で停止する頻度は、図８の「左リール」の「停止頻度」の欄に示す回数になる。例えばコマ番号「０」の図柄が表示枠１１の中段で停止する頻度は「０」回であり、コマ番号「２」の図柄が表示枠１１の中段で停止する頻度は「２」回である。図８において、コマ番号「２」の図柄が表示枠１１の中段で停止するということは、コマ番号「３」の「ベル」が表示枠１１の下段で停止するということを意味する。したがって、図８の左リール用停止テーブル１３１では、コマ番号「３」の「ベル」が表示枠１１の上段・中段・下段で停止する頻度はそれぞれ２回・２回・２回であり、コマ番号「８」、「１３」、「１９」の「ベル」が表示枠１１の上段・中段・下段で停止する頻度は、いずれも、それぞれ２回・１回・２回であることが分かる。すなわち図８の左リール用停止テーブル１３１では、「ベル」が表示枠１１の上段・中段・下段のいずれかに必ず停止するようになっている。
【００４０】
同様にして、中ストップスイッチ２１Ｍの操作時に各コマ番号の図柄が表示枠１１の中段に位置するときは、中リール用停止テーブル１３２の各滑りコマ数だけ進むので、中リール１３Ｍの停止位置、すなわち中リール１３Ｍの停止時に表示枠１１の中段に位置する図柄のコマ番号は、図８の「中リール」の「停止位置」の欄に示すコマ番号になる。例えば中ストップスイッチ２１Ｍの操作時にコマ番号「０」の図柄が表示枠１１の中段に位置するときは、滑りコマ数「２」だけ進むので、中リール１３Ｍの停止時に表示枠１１の中段に位置する図柄のコマ番号は「１９」になる。
【００４１】
その結果、各コマ番号の図柄が表示枠１１の中段で停止する頻度は、図８の「中リール」の「停止頻度」の欄に示す回数になる。例えばコマ番号「０」の図柄が表示枠１１の中段で停止する頻度は「０」回であり、コマ番号「２」の図柄が表示枠１１の中段で停止する頻度は「２」回である。図８の「中リール」において、コマ番号「２」の図柄が表示枠１１の中段で停止するということは、コマ番号「１」の「ベル」が表示枠１１の上段に、かつコマ番号「３」の「ベル」が表示枠１１の下段に停止するということを意味する。したがって、図８の中リール用停止テーブル１３２では、コマ番号「１」、「１３」、「１８」の「ベル」が表示枠１１の上段・中段で停止する頻度は、いずれもそれぞれ２回・２回であり、コマ番号「８」の「ベル」が表示枠１１の上段・中段で停止する頻度はそれぞれ３回・３回であり、コマ番号「３」の「ベル」が表示枠１１の上段・中段・下段で停止する頻度は、それぞれ１回・２回・２回であることが分かる。なお、コマ番号「３」の「ベル」が表示枠１１の下段で停止するときは、コマ番号「１」の「ベル」が表示枠１１の上段に停止している。すなわち図８の中リール用停止テーブル１３２では、「ベル」が表示枠１１の上段・中段のいずれかに必ず停止するようになっている。
【００４２】
同様にして、右ストップスイッチ２１Ｒの操作時に各コマ番号の図柄が表示枠１１の中段に位置するときは、右リール用停止テーブル１３３の各滑りコマ数だけ進むので、右リール１３Ｒの停止位置、すなわち右リール１３Ｒの停止時に表示枠１１の中段に位置する図柄のコマ番号は、図８の「右リール」の「停止位置」の欄に示すコマ番号になる。例えば右ストップスイッチ２１Ｒの操作時にコマ番号「０」の図柄が表示枠１１の中段に位置するときは、滑りコマ数が「０」であるので、右リール１３Ｒの停止時に表示枠１１の中段に位置する図柄のコマ番号は「０」になる。
【００４３】
その結果、各コマ番号の図柄が表示枠１１の中段で停止する頻度は、図８の「右リール」の「停止頻度」の欄に示す回数になる。例えばコマ番号「０」の図柄が表示枠１１の中段で停止する頻度は「５」回であり、コマ番号「２」の図柄が表示枠１１の中段で停止する頻度は「０」回である。図８の「右リール」において、コマ番号「０」の図柄が表示枠１１の中段で停止するということは、コマ番号「１」の「ベル」が表示枠１１の下段に停止するということを意味する。したがって、図８の右リール用停止テーブル１３３では、コマ番号「１」、「６」、「１４」の「ベル」が表示枠１１の下段で停止する頻度は、いずれも５回であり、コマ番号「１１」、「１９」の「ベル」が表示枠１１の下段で停止する頻度は、いずれも３回であることが分かる。すなわち図８の右リール用停止テーブル１３３では、「ベル」が表示枠１１の下段に必ず停止するようになっている。
【００４４】
図９はリール停止制御手順のフローチャート、図１０は図９の手順に従って「ベル」が有効ラインに揃う手順を説明する図である。なお、図９では抽選手段１１０における乱数抽選の結果が「ベル」の小役当選であり、ストップスイッチが左・中・右ストップスイッチ２１Ｌ，２１Ｍ，２１Ｒの順に操作された場合について説明し、中・右ストップスイッチ２１Ｍ，２１Ｒが最初に操作された場合については省略する。
【００４５】
図９において、左・中・右リール１３Ｌ，１３Ｍ，１３Ｒの回転中に、まず、左ストップスイッチ２１Ｌが操作されると（＃１０）、その操作時の左リール１３Ｌの回転位置と図７に示す左リール用停止テーブル１３１の滑りコマ数とを用いて、左リール１３Ｌの停止位置が決定され（＃１１）、その「ベル」の停止位置が判定される（＃１２）。ここでは図８で説明したように「ベル」が表示枠１１の上段・中段・下段のいずれかに停止するので、図１０（Ａ）に示すように、「ベル」の停止位置は上段・中段・下段の３つの場合に分けられる。
【００４６】
「ベル」の停止位置が上段の場合には、中リール用停止テーブル１３２として「ベル」が上段・中段のいずれかに停止するように設定された上・中テーブルが選択される（＃１３）。図８に示した中リール用停止テーブル１３２は、この「上・中テーブル」の一例である。そして、中ストップスイッチ２１Ｍが操作されると（＃１４）、その操作時の中リール１３Ｍの回転位置と、ステップ＃１３で選択された上・中テーブルの滑りコマ数とを用いて、中リール１３Ｍの停止位置が決定され（＃１５）、その「ベル」の停止位置が判定される（＃１６）。ここでは図８で説明したように「ベル」が表示枠１１の上段・中段のいずれかに停止するので、図１０（Ｂ）に示すように、「ベル」の停止位置は上段・中段の２つの場合に分けられる。
【００４７】
「ベル」の停止位置が上段の場合には、右リール用停止テーブル１３３として、「ベル」が上段に停止するように設定された上テーブルが選択される一方（＃１７）、「ベル」の停止位置が中段の場合には、「ベル」が下段に停止するように設定された下テーブルが選択される（＃１８）。図８に示した右リール用停止テーブル１３３は、この「下テーブル」の一例である。そして、右ストップスイッチ２１Ｒが操作されると（＃１９）、その操作時の右リール１３Ｒの回転位置と、ステップ＃１７で選択された上テーブルまたはステップ＃１８で選択された下テーブルの滑りコマ数とを用いて、右リール１３Ｒの停止位置が決定される（＃２０）。そして、ステップ＃１７で上テーブルが選択された場合には図１０（Ｃ）に示すように「ベル」が上段の有効ライン上に揃い、ステップ＃１８で下テーブルが選択された場合には図１０（Ｄ）に示すように「ベル」が斜め右下がりの有効ライン上に揃う。
【００４８】
一方、ステップ＃１２において、「ベル」の停止位置が中段の場合には、中リール用停止テーブル１３２として、「ベル」が中段に停止するように設定された中テーブルが選択される（＃２１）。そして、中ストップスイッチ２１Ｍが操作されると（＃２２）、その操作時の中リール１３Ｍの回転位置と、ステップ＃２１で選択された中テーブルの滑りコマ数とを用いて、中リール１３Ｍの停止位置が決定される（＃２３）。ここでは図１０（Ｅ）に示すように「ベル」が中段に停止する。次いで、右リール用停止テーブル１３３として、「ベル」が中段に停止するように設定された中テーブルが選択される（＃２４）。そして、右ストップスイッチ２１Ｒが操作されると（＃２５）、その操作時の右リール１３Ｒの回転位置と、ステップ＃２４で選択された中テーブルの滑りコマ数とを用いて、右リール１３Ｒの停止位置が決定される（＃２６）。そして、図１０（Ｆ）に示すように「ベル」が中段の有効ライン上に揃う。
【００４９】
また、ステップ＃１２において、「ベル」の停止位置が下段の場合には、中リール用停止テーブル１３２として、「ベル」が中段または下段に停止するように設定された中・下テーブルが選択される（＃２７）。そして、中ストップスイッチ２１Ｍが操作されると（＃２８）、その操作時の中リール１３Ｍの回転位置と、ステップ＃２７で選択された中・下テーブルの滑りコマ数とを用いて、中リール１３Ｍの停止位置が決定され（＃２９）、その「ベル」の停止位置が判定される（＃３０）。ここでは、図１０（Ｇ）に示すように、「ベル」の停止位置が、中段・下段の２つの場合に分けられる。
【００５０】
「ベル」の停止位置が中段の場合には、右リール用停止テーブル１３３として、「ベル」が上段に停止するように設定された上テーブルが選択される一方（＃３１）、「ベル」の停止位置が下段の場合には、「ベル」が下段に停止するように設定された下テーブルが選択される（＃３２）。そして、右ストップスイッチ２１Ｒが操作されると（＃３３）、その操作時の右リール１３Ｒの回転位置と、ステップ＃３１で選択された上テーブルまたはステップ＃３２で選択された下テーブルの滑りコマ数とを用いて、右リール１３Ｒの停止位置が決定される（＃３４）。そして、ステップ＃３１で上テーブルが選択された場合には、図１０（Ｈ）に示すように「ベル」が斜め右上がりの有効ライン上に揃い、ステップ＃３２で下テーブルが選択された場合には、図１０（Ｉ）に示すように「ベル」が下段の有効ライン上に揃う。
【００５１】
このように、この実施形態では、抽選手段１１０における乱数抽選の結果が「ベル」の小役当選であり、左ストップスイッチ２１Ｌが最初に操作された場合に、左リール用停止テーブル１３１は、「ベル」が表示枠１１の上段・中段・下段に停止するように設定された１つの停止テーブルだけが備えられている。したがって、左ストップスイッチ２１Ｌの操作時の左リール１３Ｌの回転位置と、その左リール用停止テーブル１３１の滑りコマ数とから左リール１３Ｌの停止位置は一義的に決まる。
【００５２】
また、中ストップスイッチ２１Ｍが左ストップスイッチ２１Ｌに続いて２番目に操作された場合に、中リール用停止テーブル１３２は、「ベル」が表示枠１１の上段・中段に停止するように設定された上・中テーブルと、「ベル」が表示枠１１の中段に停止するように設定された中テーブルと、「ベル」が表示枠１１の中段・下段に停止するように設定された下・中テーブルの３つの停止テーブルが備えられている。そして、左リール１３Ｌの停止位置に基づき使用する停止テーブルが決定される。したがって、左リール１３Ｌの停止位置と、中ストップスイッチ２１Ｍの操作時の中リール１３Ｍの回転位置と、使用する中リール用停止テーブル１３２の滑りコマ数とから、中リール１３Ｍの停止位置は一義的に決まる。
【００５３】
さらに続けて、右ストップスイッチ２１Ｒが３番目に操作された場合に、右リール用停止テーブル１３３は、「ベル」が表示枠１１の上段に停止するように設定された上テーブルと、「ベル」が表示枠１１の中段に停止するように設定された中テーブルと、「ベル」が表示枠１１の下段に停止するように設定された下テーブルの３つの停止テーブルが備えられている。そして、左リール１３Ｌの停止位置と中リール１３Ｍの停止位置とに基づき使用する停止テーブルが決定される。したがって、左リール１３Ｌの停止位置と、中リール１３Ｍの停止位置と、右ストップスイッチ２１Ｒの操作時の右リール１３Ｒの回転位置と、使用する右リール用停止テーブル１３３の滑りコマ数とから、右リール１３Ｒの停止位置は一義的に決まる。
【００５４】
すなわち、この実施形態では、抽選手段１１０による入賞役を決定するための乱数抽選が行われた後の停止制御手段１２５によるリール停止制御では、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はない。このため、適正なタイミングでストップスイッチを操作すれば、乱数抽選の結果が当選の場合には、入賞となる停止位置にリールを確実に停止させることができる。したがって、従来のような不自然な事態が生じるのを未然に防止することができ、遊技の公正を確保することができる。
【００５５】
この実施形態において、図５の機能ブロック図に示すメイン制御基板６３の各機能は、メインＣＰＵ６１がＲＯＭ６７に格納されているスロットマシン用プログラムを実行することにより、実現することができる。すなわち、この実施形態では、メインＣＰＵ６１がコンピュータに対応し、ＲＯＭ６７がスロットマシン用プログラムを記録したコンピュータ読み取り可能な記録媒体に対応する。この場合において、上記実施形態ではＲＯＭ６７をメイン制御基板６３に実装されたメモリで構成しているが、これに限られず、ＤＶＤ−ＲＯＭ、ＣＤ−ＲＯＭ、ＭＯ、リムーバブルハードディスク、フラッシュメモリや強誘電体メモリなど、スロットマシン１に着脱可能な記録媒体で構成してもよい。
【００５６】
なお、本発明は上記実施形態に限定されるものではなく、その趣旨を逸脱しない限りにおいて上述したもの以外に種々の変更を行うことが可能である。例えば、上記実施形態ではメイン制御基板６３およびサブ制御基板７３の別々の制御基板を備え、それぞれＣＰＵおよびメモリを備える構成となっているが、本発明はこれに限られず、１つの制御基板を備え、１つのＣＰＵおよび１つのメモリで構成してもよい。また、上記実施形態では３リールのスロットマシンとしているが、本発明はこれに限られず、４リール以上のリールを備えたスロットマシンでもよい。また、上記実施形態では有効ラインを５本としているが、本発明はこれに限られない。
【００５７】
また、例えば上記実施形態では左・中・右ストップスイッチ２１Ｌ，２１Ｍ，２１Ｒの順に操作された場合の各リール用停止テーブル１３１，１３２，１３３について説明しているが、これに限られない。例えば、各ストップスイッチ２１Ｌ，２１Ｍ，２１Ｒの操作順ごとに各リール用停止テーブル１３１，１３２，１３３を設定しておいてもよい。すなわち、例えば「ベル」の小役当選で中・左・右ストップスイッチ２１Ｍ，２１Ｌ，２１Ｒの順で操作された場合は、中リール用停止テーブル１３２を１つだけ備えておき、中ストップスイッチ２１Ｍの操作時の中リール１３Ｍの回転位置と当該１つの中リール用停止テーブル１３２の滑りコマ数とから中リール１３Ｍの停止位置を決定する。次いで、中リール１３Ｍの停止位置から、使用する左リール用停止テーブル１３１を決定し、左ストップスイッチ２１Ｌの操作時の左リール１３Ｌの回転位置と当該決定した左リール用停止テーブル１３１の滑りコマ数とから左リール１３Ｌの停止位置を決定する。次いで、中リール１３Ｍの停止位置と左リール１３Ｌの停止位置とから、使用する右リール用停止テーブル１３３を決定し、右ストップスイッチ２１Ｒの操作時の右リール１３Ｒの回転位置と当該決定した右リール用停止テーブル１３３の滑りコマ数とから右リール１３Ｒの停止位置を決定する。この形態によっても、上記実施形態と同様の効果が得られる。
【００５８】
また、上記実施形態では、抽選手段１１０による入賞役を決定するための乱数抽選が行われた後の停止制御手段１２５によるリール停止制御では、抽選手段１１０の乱数抽選の結果にかかわらず（すなわち乱数抽選の結果がハズレだった場合にも）、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はないが、これに代えて、抽選手段１１０の乱数抽選の結果がハズレだった場合を除いて、上記関係に確率的要素がないようにしてもよい。この形態でも、適正なタイミングでストップスイッチを操作すれば、乱数抽選の結果が当選の場合には、入賞となる停止位置にリールを確実に停止させることができる。したがって、従来のような不自然な事態が生じるのを未然に防止することができ、遊技の公正を確保することができる。なお、乱数抽選の結果がハズレだった場合には元々遊技者に対する利益（例えばメダル払い出しなど）の付与がないため、抽選手段１１０の乱数抽選の結果がハズレだった場合に、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素が存在しても、遊技の公正確保には何ら問題がない。
【００５９】
また、停止制御手段１２５によるリール停止制御および左・中・右リール用停止テーブル１３１，１３２，１３３は、上記実施形態に限られない。図１１は別の左・中・右リール用停止テーブル１３１，１３２，１３３の例を説明する図である。なお、図１１の例でも上記実施形態と同様に、「ベル」の小役当選で左・中・右ストップスイッチ２１Ｌ，２１Ｍ，２１Ｒの順で操作された場合であるとする。
【００６０】
図１１の左リール用停止テーブル１３１では、コマ番号「３」、「８」、「１３」、「１９」の「ベル」が表示枠１１の中段で停止する頻度はいずれも５回であり、コマ番号「１９」の「ベル」が表示枠１１の下段で停止する頻度は１回であることが分かる。すなわち図１１の左リール用停止テーブル１３１では、「ベル」が表示枠１１の中段に停止する頻度が２１回のうち２０回であり、残りの１回は「ベル」が表示枠１１の下段に停止するようになっている。
【００６１】
また、図１１の中リール用停止テーブル１３２では、コマ番号「１」の「ベル」が表示枠１１の中段で停止する頻度は１回であり、コマ番号「３」、「８」、「１３」の「ベル」が表示枠１１の中段で停止する頻度はいずれも５回であり、コマ番号「１８」の「ベル」が表示枠１１の中段で停止する頻度は４回であることが分かる。すなわち図１１の中リール用停止テーブル１３２では、「ベル」が表示枠１１の中段に必ず停止するようになっている。
【００６２】
また、図１１の右リール用停止テーブル１３３では、コマ番号「１」、「６」、「１１」の「ベル」が表示枠１１の中段で停止する頻度はいずれも５回であり、コマ番号「１４」、「１９」の「ベル」が表示枠１１の中段で停止する頻度はいずれも３回であることが分かる。すなわち図１１の右リール用停止テーブル１３３では、「ベル」が表示枠１１の中段に必ず停止するようになっている。
【００６３】
そして、この場合の停止制御手段１２５によるリール停止制御では、左ストップスイッチ２１Ｌの操作時の左リール１３Ｌの回転位置と、左リール用停止テーブル１３１とにより左リール１３Ｌの停止位置が一義的に決まる。また、中ストップスイッチ２１Ｍの操作時の中リール１３Ｍの回転位置と、中リール用停止テーブル１３２とにより中リール１３Ｍの停止位置が一義的に決まる。また、右ストップスイッチ２１Ｒの操作時の右リール１３Ｒの回転位置と、右リール用停止テーブル１３３とにより右リール１３Ｒの停止位置が一義的に決まる。
【００６４】
この変形形態でも、抽選手段１１０による入賞役を決定するための乱数抽選が行われた後の停止制御手段１２５によるリール停止制御では、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はない。このため、適正なタイミングでストップスイッチを操作すれば、乱数抽選の結果が入賞役の当選の場合には、入賞となる停止位置にリールを確実に停止させることができる。したがって、上記実施形態と同様に、従来のような不自然な事態が生じるのを未然に防止することができ、遊技の公正を確保することができる。
【００６５】
また、上記実施形態では、最初に操作されたストップスイッチ（上記実施形態では左ストップスイッチ２１Ｌ）に対応する停止テーブル（上記実施形態では左リール用停止テーブル１３１）を１個だけ備えた場合について説明しているが、これに限られず、最初に操作されたストップスイッチに対応する停止テーブルを複数個備えておき、用いる停止テーブルを予め定められた順番で決定するようにしてもよい。図１２は、左ストップスイッチ２１Ｌが最初に操作された場合に用いる左リール用停止テーブル１３１の別の決定例を説明する図である。
【００６６】
上記実施形態で説明したように、抽選手段１１０における乱数抽選の結果がＢＢ当選になると、ＢＢ当選に基づいたリール１３Ｌ，１３Ｍ，１３Ｒの停止制御が行われるが、このとき、ＢＢ入賞が引き当てられないと、このＢＢ当選は、ＢＢ入賞が引き当てられるまで持ち越されることとなっている。ＲＢ当選についても同様である。そこで、この変形形態では、予め複数個（この変形形態では例えば３個）の左リール用停止テーブル１３１を備え、ＢＢ当選が持ち越された場合には、予め定められた順番で用いる停止テーブルを決定するようにしている。
【００６７】
すなわち、図１２では、左リール用停止テーブル１３１として、「７」が表示枠１１の上段に停止するように設定された停止テーブルＡと、「７」が表示枠１１の中段に停止するように設定された停止テーブルＢと、「７」が表示枠１１の下段に停止するように設定された停止テーブルＣとを備えている。そして、スタートスイッチ１９の操作時に抽選手段１１０において行われた乱数抽選の結果がＢＢ当選であって、最初に左ストップスイッチ２１Ｌが操作されたとき、停止制御手段１２５は、まず、左リール用停止テーブル１３１として停止テーブルＡを用いる。このとき、例えば遊技者の操作がうまく行かずに「７７７」が有効ライン上に揃わず、ＢＢ入賞が引き当てられなかった場合には、ＢＢ当選が持ち越される。そして、次のゲームにおいて最初に左ストップスイッチ２１Ｌが操作されたとき、停止制御手段１２５は、左リール用停止テーブル１３１として停止テーブルＢを用いる。さらに、このときも「７７７」が有効ライン上に揃わずＢＢ入賞が引き当てられなかった場合には、再度ＢＢ当選が持ち越されて、次のゲームにおいて最初に左ストップスイッチ２１Ｌが操作されたとき、停止制御手段１２５は、左リール用停止テーブル１３１として停止テーブルＣを用いる。そして、このときもＢＢ入賞が引き当てられなかった場合には、再度ＢＢ当選が持ち越されて、次のゲームにおいて最初に左ストップスイッチ２１Ｌが操作されたとき、停止制御手段１２５は、左リール用停止テーブル１３１として停止テーブルＡを用いる。
【００６８】
ここで、２番目に操作されたストップスイッチ（例えば中ストップスイッチ２１Ｍ）に対応する停止テーブル（例えば中リール用停止テーブル１３２）は、左リール用停止テーブル１３１として備えられた複数個の停止テーブル（図１２では停止テーブルＡ，Ｂ，Ｃ）にそれぞれ対応して備えられ、左リール用停止テーブル１３１として用いられた停止テーブル（例えば停止テーブルＡ）に対応する停止テーブルが用いられる。また、３番目に操作されたストップスイッチ（例えば右ストップスイッチ２１Ｒ）に対応する停止テーブル（例えば右リール用停止テーブル１３３）は、１・２番目に用いられる停止テーブルの各組合せ（例えば左・中リール用停止テーブル１３１，１３２の各組合せ）にそれぞれ対応して備えられ、１・２番目に用いられた停止テーブルの組合せ（例えば左・中リール用停止テーブル１３１，１３２として用いられた停止テーブルの組合せ）に対応する停止テーブルが用いられる。
【００６９】
このように、この変形形態では、停止制御手段１２５は、左リール用停止テーブル１３１として用いた停止テーブルを例えばＲＡＭ６５に記憶しておき、ＢＢ当選が持ち越されている状態では、左リール用停止テーブル１３１として用いる停止テーブルをゲームごとに停止テーブルＡ，Ｂ，Ｃ，Ａ，…と予め定められた順番に切り換える。そして、例えばＢＢ入賞が引き当てられたことによりＢＢ当選の持ち越しが終了したとき、停止制御手段１２５は、ＲＡＭ６５に記憶した停止テーブルをリセットする。すなわち、次の新たなＢＢ当選時には、左リール用停止テーブル１３１として再び停止テーブルＡから使用する。
【００７０】
この変形形態によれば、抽選手段１１０による入賞役を決定するための乱数抽選が行われた後の停止制御手段１２５によるリール停止制御では、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はない。このため上記実施形態と同様の効果を得ることができる。
【００７１】
なお、図１２では、最初に左ストップスイッチ２１Ｌが操作された場合について説明しているが、例えば最初に中・右ストップスイッチ２１Ｍ，２１Ｒが操作された場合も同様の停止制御を行う。すなわち、中リール用停止テーブル１３２として複数個の停止テーブルを備え、最初に中ストップスイッチ２１Ｍが操作された場合に、停止制御手段１２５は、複数個の中リール用停止テーブル１３２から用いる停止テーブルを予め定められた順番で決定すればよい。また、右リール用停止テーブル１３３として複数個の停止テーブルを備え、最初に右ストップスイッチ２１Ｒが操作された場合に、停止制御手段１２５は、複数個の右リール用停止テーブル１３３から用いる停止テーブルを予め定められた順番で決定すればよい。そして、図１２と同様に、その１番目に用いた停止テーブルに基づき、２番目の停止テーブルを決定し、１・２番目の停止テーブルに基づき、３番目の停止テーブルを決定すればよい。
【００７２】
また、図１２の説明では、ＢＢ当選の持ち越しが終了したとき、停止制御手段１２５は、ＲＡＭ６５に記憶した停止テーブルをリセットし、次の新たなＢＢ当選時に左リール用停止テーブル１３１として再び停止テーブルＡから使用するようにしているが、これに限られず、ＢＢ当選の持ち越しが終了したときにＲＡＭ６５に記憶した停止テーブルをリセットせず、例えば次の新たなＢＢ当選時に前のＢＢ当選の持ち越し終了時点で停止テーブルＢであれば次の停止テーブルＣから順番に使用するようにしてもよい。
【００７３】
また、図１２ではＢＢ当選が持ち越された場合について説明しているが、これに限られず、例えばＲＢ当選が持ち越された場合にも同様の停止制御を行ってもよい。また、ＢＢ当選やＲＢ当選の持ち越しの場合に限られず、小役当選に適用してもよい。図１３は、この変形形態を小役当選（図１３では「ベル」当選）に適用した場合において、左ストップスイッチ２１Ｌが最初に操作された場合に用いる左リール用停止テーブル１３１の決定例を説明する図である。
【００７４】
図１３では、左リール用停止テーブル１３１として、「ベル」が表示枠１１の中段に停止するように設定された停止テーブルＤと、「ベル」が表示枠１１の下段に停止するように設定された停止テーブルＥと、「ベル」が表示枠１１の上段に停止するように設定された停止テーブルＦとを備えている。そして、スタートスイッチ１９の操作時に抽選手段１１０において行われた乱数抽選の結果がベル当選のときは、ＲＡＭ６５に記憶する「ベル当選回数」がインクリメントされる。そして、最初に左ストップスイッチ２１Ｌが操作されたとき、停止制御手段１２５は、ＲＡＭ６５に記憶されている「ベル当選回数」を抽出し、例えば「ベル当選回数」を３で割った余りに基づき、使用する停止テーブルを決定する。すなわち、停止制御手段１２５は、「ベル当選回数」を３で割った余りが「１」のとき左リール用停止テーブル１３１として停止テーブルＤを用い、余りが「２」のとき左リール用停止テーブル１３１として停止テーブルＥを用い、余りが「０」のとき左リール用停止テーブル１３１として停止テーブルＦを用いる。
【００７５】
そして、図１２の場合と同様に、２番目に操作されたストップスイッチに対応する停止テーブルについては、最初に用いられた停止テーブルに対応して決定し、３番目に操作されたストップスイッチに対応する停止テーブルについては、１・２番目に用いられた停止テーブルに対応して決定すればよい。なお、図１３では、最初に左ストップスイッチ２１Ｌが操作された場合について説明しているが、図１２の場合と同様に、例えば最初に中・右ストップスイッチ２１Ｍ，２１Ｒが操作された場合も同様の停止制御を行うことが可能である。この図１３の形態でも、図１２の形態と同様に、抽選手段１１０による入賞役を決定するための乱数抽選が行われた後の停止制御手段１２５によるリール停止制御では、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はない。このため上記実施形態と同様の効果を得ることができる。
【００７６】
以上説明したように、この発明では、図１４の模式図に示すように、スタートスイッチ１９の操作で乱数抽選が行われた後、左ストップスイッチ２１Ｌが操作されると、１つだけ備えられた左リール用停止テーブル１３１が用いられてリール停止制御が行われるため、左ストップスイッチ２１Ｌの操作時の左リール１３Ｌの回転位置と、左ストップスイッチ２１Ｌの操作後の左リール１３Ｌの停止位置との関係に、確率的要素がない。これに対して、比較例を示す図１５の模式図では、スタートスイッチの操作で乱数抽選が行われた後、左ストップスイッチが操作されると、例えば３個備えられた左リール用停止テーブルのうちから例えば１／３の確率で選択された停止テーブルが用いられてリール停止制御が行われるため、左ストップスイッチの操作時の左リールの回転位置と、左ストップスイッチの操作後の左リールの停止位置との関係に、確率的要素が介在している。このため、図１５の例では、従来のように不自然な事態が生じたり、遊技の公正を害するおそれがあることとなる。
【００７７】
なお、上記実施形態および変形形態では、停止テーブルを用いてリール停止制御を行う例について説明しているが、本発明はこれに限られず、プログラムによりリール停止制御を行うようにしてもよい。この場合でも、上記実施形態と全く同様の効果を得ることができる。
【図面の簡単な説明】
【００７８】
【図１】本発明に係るスロットマシンの一実施形態の外観を示す斜視図である。
【図２】リールの図柄配列の一例を示す図である。
【図３】リールの図柄のコマ番号の配列と回転方向を示す図である。
【図４】スロットマシンの電気的構成を示すブロック図である。
【図５】メイン制御基板の機能を示す機能ブロック図である。
【図６】乱数抽選の結果を説明する図である。
【図７】停止テーブルを用いたリール停止制御を説明する図である。
【図８】左・中・右リール用停止テーブルを説明する図である。
【図９】リール停止制御手順のフローチャートである。
【図１０】図９の手順に従って「ベル」が有効ラインに揃う手順を説明する図である。
【図１１】左・中・右リール用停止テーブルの別の例を説明する図である。
【図１２】左リール用停止テーブルの別の決定例を説明する図である。
【図１３】左リール用停止テーブルのさらに別の決定例を説明する図である。
【図１４】この発明のリール停止制御を説明する模式図である。
【図１５】比較例のリール停止制御を説明する模式図である。
【図１６】従来のリール停止制御を説明する模式図である。
【符号の説明】
【００７９】
１１…表示枠、１３Ｌ，１３Ｍ，１３Ｒ…左・中・右リール、１９…スタートスイッチ、２１Ｌ，２１Ｍ，２１Ｒ…左・中・右ストップスイッチ、５５Ｌ，５５Ｍ，５５Ｒ…左・中・右位置センサ、６１…メインＣＰＵ、６３…メイン制御基板、６７…ＲＯＭ、１１０…抽選手段、１２５…停止制御手段、１３０…停止テーブル、１３１，１３２，１３３…左・中・右リール用停止テーブル（停止テーブル）、Ａ，Ｂ，Ｃ，Ｄ，Ｅ，Ｆ…変形形態における左リール用停止テーブル
【図１】
2006130301.tif 000003
【図２】
2006130301.tif 000004
【図３】
2006130301.tif 000005
【図４】
2006130301.tif 000006
【図５】
2006130301.tif 000007
【図６】
2006130301.tif 000008
【図７】
2006130301.tif 000009
【図８】
2006130301.tif 000010
【図９】
2006130301.tif 000011
【図１０】
2006130301.tif 000012
【図１１】
2006130301.tif 000013
【図１２】
2006130301.tif 000014
【図１３】
2006130301.tif 000015
【図１４】
2006130301.tif 000016
【図１５】
2006130301.tif 000017
【図１６】
2006130301.tif 000018